(57)【要約】【課題】迅速にミストサウナを楽しむことができる浴室暖房装置を提供する。【解決手段】浴室暖房装置は、暖房機構２とミスト機構３と給湯機構４とミスト水路３２と給湯路４２とを連通させるバイパス路４４とコントローラ６とを備える。コントローラ６は、給湯機構４のみが運転状態であるときに（ＳＴＥＰ１）、ミスト温度と給湯温度との差が第１所定温度差以上であるか否かをチェックする第１ステップと（ＳＴＥＰ２）、第１ステップを具備する場合に、第１ステップのミスト温度を記憶する第２ステップと（ＳＴＥＰ３）、第２ステップから所定時間経過後に検出されるミスト温度と、記憶温度との温度差が第２所定温度差以上であるか否かをチェックする第３ステップと（ＳＴＥＰ５，６）、第３ステップを具備する場合に、液々熱交換器３３が異常であると判定する第４ステップ（ＳＴＥＰ７）とを備える処理を実行する。【選択図】図３
2011052923.tif 000002
【特許請求の範囲】
【請求項１】
給湯用熱交換器と暖房用熱交換器とを有する熱源機と、
暖房用放熱器と、浴室の空気を吸引し該暖房用放熱器で加熱された空気を浴室に吹出させる循環ファンと、前記熱源機の暖房用熱交換器で加熱された熱媒体を前記暖房用放熱器に循環させる主熱媒循環路とを有する暖房機構と、
湯を噴霧するミストノズルと、前記暖房機構の主熱媒循環路から分岐させた副熱媒循環路に介設された液々熱交換器と、該液々熱交換器に水を供給する給水管と、該給水管に介設された給水弁と、該給水管から供給された水が前記液々熱交換器で加熱されて湯となり、この湯を前記ミストノズルへ導くミスト水路と、該ミスト水路に介設されたミスト弁と、該ミスト弁の上流側に位置させて前記ミスト水路内を流れる湯の温度を検出するミスト用温度検出手段とを有するミスト機構と、
前記熱源機の給湯用熱交換器で加熱された湯が流れる給湯路と、該給湯路を流れる湯の温度を検出する給湯温度検出手段とを有する給湯機構と、
前記熱源機と、前記暖房機構と、前記ミスト機構と、前記給湯機構との作動を制御するコントローラとを備えるミストサウナ機能付き浴室暖房装置において、
前記ミスト水路のミスト弁とミスト用温度検出手段とが配置された箇所の間の部分から前記給湯路に連通されるバイパス路が設けられ、
前記コントローラは、
前記ミスト機構及び前記暖房機構が運転停止状態であり、且つ、前記給湯路を湯が流れる給湯運転状態であるときに、
前記ミスト用温度検出手段で検出される検出温度と、前記給湯温度検出手段で検出される給湯温度との温度差が第１の所定の温度差以上であるか否かをチェックする第１ステップと、
該第１ステップにおける温度差が前記第１の所定の温度差以上である場合に、該第１ステップにおいて前記ミスト用温度検出手段で検出された検出温度を記憶する第２ステップと、
該第２ステップから所定時間経過後に前記ミスト用温度検出手段で検出される検出温度と、該第２ステップで記憶された温度との温度差が第２の所定の温度差以上であるか否かをチェックする第３ステップと、
該第３ステップにおける温度差が前記第２の所定の温度差以上である場合に、前記液々熱交換器が異常であると判定する第４ステップと、
を備える「給湯運転時液々熱交換器検査処理」を実行することを特徴とするミストサウナ機能付き浴室暖房装置。
【請求項２】
請求項１記載のミストサウナ機能付き浴室暖房装置において、前記給湯機構は、打たせ湯ノズルを備え、前記給湯路は前記給湯用熱交換器で加熱された湯を該打たせ湯ノズルに供給させる打たせ湯水路であり、前記給湯温度検出手段は、該打たせ湯水路を流れる湯の温度を検出する打たせ湯温度検出手段であることを特徴とするミストサウナ機能付き浴室暖房装置。
【発明の詳細な説明】
【技術分野】
【０００１】
本発明は、浴室の天井部等に取り付けられた暖房機構と、ミストノズルから浴室内に湯を噴霧してサウナ効果を得られるようにしたミスト機構とを備える浴室暖房装置に関する。
【背景技術】
【０００２】
従来、給湯用熱交換器と暖房用熱交換器とを有する熱源機と、暖房用放熱器と、浴室の空気を吸引し暖房用放熱器で加熱された空気を浴室に吹出させる循環ファンと、熱源機の暖房用熱交換器で加熱された熱媒体を暖房用放熱器に循環させる主熱媒循環路とを有する暖房機構と、打たせ湯ノズルと、熱源機の給湯用熱交換器で加熱された湯を打たせ湯ノズルに供給する給湯路（打たせ湯水路）とを有する給湯機構（打たせ湯機構）と、熱源機と、暖房機構と、給湯機構（打たせ湯機構）との作動を制御するコントローラとを備える浴室暖房装置が知られている（例えば、特許文献１参照）。
【０００３】
又、湯を噴霧するミストノズルと、暖房機構の主熱媒循環路から分岐させた副熱媒循環路に介設された液々熱交換器と、液々熱交換器で加熱された湯をミストノズルへ導くミスト水路とを有するミスト機構を備える浴室暖房装置も知られている（例えば、特許文献２参照）。
【０００４】
そして、浴室暖房装置の多機能化を図るべく、打たせ湯機構、及びミスト機構の両方を浴室暖房装置に設けることが考えられる。
【０００５】
ところで、液々熱交換器を用いる場合、長期間使用すると、腐食等で液々熱交換器の内部漏れを生ずる可能性がある。そこで、液々熱交換器の内部漏れの検査機能を有する浴室暖房装置も知られている(例えば、特許文献３参照)。このものでは、ミスト運転開始前の予熱運転時に、ミスト温度センサの検出温度に基づいて液々熱交換器の内部漏れの有無を判別するようにしている。
【０００６】
これを詳述するに、液々熱交換器の内部漏れが有ると、高温の熱媒体がミスト用給水路に混入し、混入した熱媒体の影響でミスト温度センサの検出温度が高くなる。そのため、予熱運転開始時点から所定時間経過した時点でのミスト温度センサの検出温度の上昇量が所定の閾値以上になったとき、液々熱交換器の内部漏れ有りと判定している。
【先行技術文献】
【特許文献】
【０００７】
【特許文献１】特開２００３−８３５５７号公報
【特許文献２】特開２００８−１４５５０号公報
【特許文献３】特開２００６−６８１２９号公報
【発明の概要】
【発明が解決しようとする課題】
【０００８】
従来の液々熱交換器の内部漏れ判定では、ミスト機構の運転を開始するたびに内部漏れ判定が実行されるため、利用者がミストサウナ運転を指示する操作を行ってから、ミストサウナ運転が実際に開始されるまでに時間を要し、利用者に不快感を与える虞がある。
【０００９】
本発明は、以上の点に鑑み、従来品よりも迅速にミストサウナを楽しむことができるミストサウナ機能付き浴室暖房装置を提供することを目的とする。
【課題を解決するための手段】
【００１０】
［１］上記目的を達成するため、本発明は、給湯用熱交換器と暖房用熱交換器とを有する熱源機と、暖房用放熱器と、浴室の空気を吸引し該暖房用放熱器で加熱された空気を浴室に吹出させる循環ファンと、前記熱源機の暖房用熱交換器で加熱された熱媒体を前記暖房用放熱器に循環させる主熱媒循環路とを有する暖房機構と、湯を噴霧するミストノズルと、前記暖房機構の主熱媒循環路から分岐させた副熱媒循環路に介設された液々熱交換器と、該液々熱交換器に水を供給する給水管と、該給水管に介設された給水弁と、該給水管から供給された水が前記液々熱交換器で加熱されて湯となり、この湯を前記ミストノズルへ導くミスト水路と、該ミスト水路に介設されたミスト弁と、該ミスト弁の上流側に位置させて前記ミスト水路内を流れる湯の温度を検出するミスト用温度検出手段とを有するミスト機構と、前記熱源機の給湯用熱交換器で加熱された湯が流れる給湯路と、該給湯路を流れる湯の温度を検出する給湯温度検出手段とを有する給湯機構と、前記熱源機と、前記暖房機構と、前記ミスト機構と、前記給湯機構との作動を制御するコントローラとを備えるミストサウナ機能付き浴室暖房装置を以下の如く改良している。
【００１１】
即ち、本発明のミストサウナ機能付き浴室暖房装置は、前記ミスト水路のミスト弁とミスト用温度検出手段とが配置された箇所の間の部分から前記給湯路に連通されるバイパス路が設けられ、前記コントローラは、前記ミスト機構及び前記暖房機構が運転停止状態であり、且つ、前記給湯路を湯が流れる給湯運転状態であるときに、前記ミスト用温度検出手段で検出される検出温度と、前記給湯温度検出手段で検出される給湯温度との温度差が第１の所定の温度差以上であるか否かをチェックする第１ステップと、該第１ステップにおける温度差が前記第１の所定の温度差以上である場合に、該第１ステップにおいて前記ミスト用温度検出手段で検出された検出温度を記憶する第２ステップと、該第２ステップから所定時間経過後に前記ミスト用温度検出手段で検出される検出温度と、該第２ステップで記憶された温度との温度差が第２の所定の温度差以上であるか否かをチェックする第３ステップと、該第３ステップにおける温度差が前記第２の所定の温度差以上である場合に、前記液々熱交換器が異常であると判定する第４ステップとを備える「給湯運転時液々熱交換器検査処理」を実行することを特徴とする。
【００１２】
本発明によれば、コントローラは、ミスト機構及び暖房機構が運転停止状態であり、且つ、給湯路を湯が流れる給湯運転状態であるときに、「給湯運転時液々熱交換器検査処理」を実行する。この「給湯運転時液々熱交換器検査処理」は、ミスト機構が運転停止状態であるときに実行されるため、給水弁もミスト弁も閉弁状態にある。そして、液々熱交換器の内部漏れが発生していない正常な状態であるときには、給湯路を流れる湯がバイパス路を通ってミスト水路に流れることは無い。
【００１３】
しかしながら、液々熱交換器が内部漏れを生じている場合には、液々熱交換器内でミスト水路内の湯と副熱媒循環路内の熱媒体が混合する状態となる。従って、給湯路を流れる湯がバイパス路を通ってミスト水路及び液々熱交換器を通過し副熱媒循環路へ流れる。従って、上記第３ステップで温度差が第２の所定の温度差以上となっている場合には、ミスト水路に給湯路の湯が流れ込んでいることが分かり、液々熱交換器の内部漏れを検査できる。
【００１４】
このように、上述の「給湯運転時液々熱交換器検査処理」を実行すれば、給湯機構のみが運転状態にある場合に、液々熱交換器の検査を行うことができるため、この検査の終了時から許容範囲内の経過時間内におけるミスト機構の運転に際し、液々熱交換器の内部漏れ検査を実行する必要がなく、迅速にミスト機構の運転を開始させることができる。
【００１５】
［２］尚、給湯機構としては、例えば、打たせ湯ノズルを備え、給湯路を給湯用熱交換器で加熱された湯を打たせ湯ノズルに供給する打たせ湯水路とし、給湯温度検出手段を打たせ湯水路を流れる湯の温度を検出する打たせ湯温度検出手段とした打たせ湯機構とすることができる。
【図面の簡単な説明】
【００１６】
【図１】本発明のミストサウナ機能付き浴室暖房装置の実施形態を示す説明図。
【図２】実施形態のミストサウナ機能付き浴室暖房装置を示す模式図。
【図３】実施形態のコントローラの処理を示すフローチャート。
【発明を実施するための形態】
【００１７】
本発明のミストサウナ機能付き浴室暖房装置の実施形態を図１〜図３を参照して説明する。図１及び図２に示す符号１は、ミストサウナ機能付き浴室暖房装置であり、図２に示すように、暖房機構２、スプラッシュミスト機構３、給湯機構たる打たせ湯機構４、熱源機５を備える。熱源機５は、給湯用バーナ５１ａで加熱される給湯用熱交換器５１と、暖房用バーナ５２ａで加熱される暖房用熱交換器５２とを備える。
【００１８】
暖房機構２は、図１に示すように、浴室ＢＲの天井部ＢＲ１に配置され、下面に吸込み口２１ａ及び吹出し口２１ｂを有し吸込み口２１ａから吹出し口２１ｂに至る通風路を画成する通風ケース２１と、通風ケース２１内に配置され浴室ＢＲ内の空気を通風ケース２１内の通風路を介して循環させる循環ファン２２と、通風ケース２１内に配置され空気を加熱する暖房用放熱器２３とを備える。循環ファン２２により吸込み口２１ａから通風ケース２１内に吸い込まれた浴室ＢＲの空気は、暖房用放熱器２３で加熱され、温風となって吹出し口２１ｂから浴室ＢＲに吹出される。
【００１９】
暖房用放熱器２３には、図２に示すように、熱源機５の暖房用熱交換器５２に連なる主熱媒循環路２４が接続されている。主熱媒循環路２４には、暖房用熱媒弁２４ａ、シスターン２４ｂ、循環ポンプ２４ｃが介設されており、暖房用熱媒弁２４ａの開弁及び循環ポンプ２４ｃの作動で熱媒体（水、不凍液等）が循環する。熱媒体は熱源機５の暖房用熱交換器５２で加熱されて暖房用放熱器２３に供給され、暖房用放熱器２３で放熱された後、熱源機５の暖房用熱交換器５２へ戻り再び加熱される。
【００２０】
スプラッシュミスト機構３は、浴室ＢＲに温水を噴霧するミストノズル３１を備える。ミストノズル３１にはミスト水路３２が連なる。ミスト水路３２には、上流側から順に、ミスト用温度検出手段たるミスト用サーミスタ３２ａ、ミスト弁３２ｂが介設されている。ミスト水路３２の上流端にはプレート式の液々熱交換器３３が設けられている。又、液々熱交換器３３の上流端には、給水管３４が連設されている。給水管３４には、フィルタ３４ａ、逆止弁３４ｂ、給水弁３４ｃが介設されている。液々熱交換器３３には、給水管３４を介して水道水が供給される。
【００２１】
液々熱交換器３３には、主熱媒循環路２４から分岐した副熱媒循環路２５が接続されており、この副熱媒循環路２５に流量調節弁２５ａが介設されている。かくして、熱源機５の暖房用熱交換器５２で加熱された熱媒体が流量調節弁２５ａの開弁で液々熱交換器３３に供給され、給水管３４から供給された水が液々熱交換器３３で熱媒体の熱により加熱され、湯となってミスト水路３２を介して、ミストノズル３１に供給される。
【００２２】
給湯機構たる打たせ湯機構４は、打たせ湯ノズル４１を備える。打たせ湯ノズル４１は、熱源機５の給湯用熱交換器５１に連なる給湯路５１ｂに打たせ湯水路４２を介して接続されている。打たせ湯水路４２には、上流側から順に、フィルタ４２ａ、打たせ湯水量サーボ４２ｂ、サーミスタ４２ｃ、出湯弁４２ｄが介設されている。又、打たせ湯水路４２には、サーミスタ４２ｃと出湯弁４２ｄとの間の部分から分岐する排水路４３が設けられている。排水路４３には排水弁４３ａが介設されている。
【００２３】
打たせ湯水路４２の打たせ湯水量サーボ４２ｂと打たせ湯用サーミスタ４２ｃとの間の部分には、ミスト水路３２のサーミスタ３２ｄとミスト弁３２ｅとの間の部分から分岐したバイパス路４４が接続されている。
【００２４】
尚、給湯用熱交換器５１に連なる給湯路５１ｂには、浴室内に設置されたシャワーや他の家庭用蛇口等に配置される図示省略した複数の出湯栓が接続される。
【００２５】
ミストサウナ機能付き浴室暖房装置１は、コントローラ６（図１参照）を備え、コントローラ６は、暖房機構２、スプラッシュミスト機構３、給湯機構たる打たせ湯機構４の作動を制御する。又、コントローラ６は、図外の浴室リモコンと熱源機５のコントローラ（図示省略）とに通信可能に接続されている。
【００２６】
そして、コントローラ６は、浴室リモコンの暖房スイッチがオンされたとき、暖房用バーナ５２ａを燃焼させ、且つ、循環ポンプ２４ｃを作動させる暖房指令を熱源機５に送ると共に、暖房用熱媒弁２４ａを開弁し、暖房用熱交換器５２で加熱された熱媒体を主熱媒循環路２４を介して暖房用放熱器２３に循環させ、更に、循環ファン２２を作動させて、温風を浴室ＢＲに送風する暖房運転制御を行う。
【００２７】
又、浴室リモコンのミストスイッチがオンされたときは、熱源機５に暖房指令を送ると共に流量調節弁２５ａを開弁し、暖房用熱交換器５２で加熱された熱媒体を主熱媒循環路２４から副熱媒循環路２５を介して液々熱交換器３３に供給し、更に、給水弁３４ｃ、ミスト弁３２ｂを開弁し、液々熱交換器３３で加熱された湯をミストノズル３１から噴霧するミスト運転制御を行う。
【００２８】
又、浴室リモコンの打たせ湯スイッチがオンされたときは、打たせ湯水量サーボ４２ｂと出湯弁４２ｄとを開弁し、給湯用熱交換器５１で加熱された湯を打たせ湯ノズル４１から吐出する打たせ湯運転制御を行う。尚、実施形態のミストサウナ機能付き浴室暖房装置１では、打たせ湯の設定温度は、浴室リモコンで設定された給湯設定温度と同一温度に設定される。
【００２９】
実施形態のコントローラ６は、図３に示す「給湯運転時液々熱交換器検査処理」を所定のサイクルタイムで実行する。
【００３０】
図３に示すように、「給湯運転時液々熱交換器検査処理」では、先ず、ＳＴＥＰ１で、打たせ湯機構４が運転中であり、且つ暖房機構２及びミスト機構３が運転停止状態であるか否かをチェックする。打たせ湯機構４が運転停止状態である場合、又は暖房機構２若しくはミスト機構３が運転状態である場合には、そのまま今回の処理を終了させる。
【００３１】
ＳＴＥＰ１で、打たせ湯機構４が運転中であり、且つ、暖房機構２及びミスト機構３が運転停止状態である場合には、ＳＴＥＰ２に進み、打たせ湯用サーミスタ４２ｃで検出される温度とミスト用サーミスタ３２ａで検出される温度の温度差が「第１の所定の温度差（例えば５℃）」以上であるか否かをチェックする。これは、両者の温度にある程度の温度差が無ければ、液々熱交換器３３の内部漏れを検知できないからである。従って、ＳＴＥＰ２で「第１の所定の温度差」以下である場合には、そのまま今回の処理を終了させる。実施形態においては、ＳＴＥＰ２が本発明の「第１ステップ」に相当する。
【００３２】
ＳＴＥＰ２で「第１の所定の温度差」以上である場合には、ＳＴＥＰ３に進み、ＳＴＥＰ２で検出されたミスト用サーミスタ３２ａの温度をコントローラ６に内蔵された記憶装置（図示省略）に記憶させる。実施形態においては、ＳＴＥＰ３が本発明の「第２ステップ」に相当する。
【００３３】
そして、ＳＴＥＰ４に進み、ミスト用流量調節弁２５ａを開弁させる。そして、ＳＴＥＰ５に進み、ＳＴＥＰ４におけるミスト用流量調節弁２５ａの開弁時から所定時間（例えば、１分）経過したか否かをチェックする。
【００３４】
ＳＴＥＰ５で所定時間が経過している場合には、ＳＴＥＰ６に進み、ＳＴＥＰ３で記憶された温度と現在におけるミスト用サーミスタ３２ａの検出温度の温度差が「第２の所定の温度差（例えば、５℃）」以上であるか否かをチェックする。ＳＴＥＰ６で温度差が５℃未満である場合には、液々熱交換器３３の内部漏れは発生していないと判断して、そのまま今回の処理を終了する。実施形態においては、ＳＴＥＰ５及びＳＴＥＰ６が本発明の「第３ステップ」に相当する。
【００３５】
ＳＴＥＰ６で温度差が５℃以上である場合には、打たせ湯水路４２を流れる湯が、バイパス路４４、ミスト水路３２、液々熱交換器３３を介して、副熱媒循環路２５に流れ込んでいると想定される。したがって、ＳＴＥＰ７に進み、図示省略したリモコンのディスプレイ等で液々熱交換器３３が内部漏れしていることを示すエラーコードを表示させると共に、ミスト機構３の運転を禁止させて、今回の処理を終了させる。実施形態においては、ＳＴＥＰ７が本発明の「第４ステップ」に相当する。
【００３６】
実施形態の浴室暖房装置１によれば、打たせ湯機構４のみが運転中である場合に、上述の「給湯運転時液々熱交換器検査処理」を実行することにより、液々熱交換器３３の内部漏れが発生している場合には、バイパス路４４及びミスト水路３２を介して湯が液々熱交換器３３から主熱媒循環路２４の下流を流れシスターン２４ｂに流れ込む。
【００３７】
このとき、ＳＴＥＰ６においてミスト用サーミスタ３２ａで検出される温度がＳＴＥＰ２で検出される温度よりも上昇する。このため、ミスト機構３の液々熱交換器３３の内部漏れ検査を行うことができる。従って、この検査を実行してからミスト機構３の運転開始までの時間が所定の許容範囲内の時間経過であれば、ミスト機構３の運転時における液々熱交換器３３の検査処理の工程を省略して、運転を開始させることができる。
【００３８】
従って、従来の浴室暖房装置のように、ミスト機構を運転させるたびに液々熱交換器の検査処理を実行することを抑制させることができ、利用者が速やかにミストサウナを楽しむことができて、利便性を向上させることができる。
【００３９】
尚、ＳＴＥＰ６で「第２の所定の温度（例えば、５℃）」以上となることを条件としているのは、ミスト水路３２と打たせ湯水路４２とがバイパス路４４で接続されているため、両水路３２，４２内の湯（水）がバイパス路４４で接触することにより、時間経過と共にある程度温度が上昇するため、これを液々熱交換器３３の内部漏れと誤検知しないように閾値を設けたものである。
【００４０】
又、実施形態においては、給湯機構として打たせ湯機構４を用いたものを説明したが、これに限らず、例えば、実施形態の打たせ湯機構４を省略して、給湯路５１ｂに直接バイパス路４４を接続し、シャワー等による出湯栓の開弁により給湯運転が行われており、且つミスト機構３及び暖房機構２が運転停止状態である場合に、液々熱交換器３３の内部漏れを検査する「給湯運転時液々熱交換器検査処理」を実行するように構成しても本発明の効果を得ることができる。この場合、給湯路５１ｂを流れる湯の温度を検出する給湯温度検出手段を、例えば、給湯路５１ｂにおけるバイパス路４４が連結された箇所の近傍に設ければよい。
【００４１】
又、本実施形態では、ミスト用流量調節弁２５ａが副熱媒循環路２５に介設された液々熱交換器３３の下流側に配置されているが、ミスト用流量調節弁２５ａを液々熱交換器３３の上流側に配置させた場合には、液々熱交換器３３で内部漏れが発生していれば、ミスト用流量調節弁２５ａを開弁させなくとも、バイパス路４４及びミスト水路３２を介して湯が液々熱交換器３３から主熱媒循環路２４の下流を流れシスターン２４ｂに流れ込む。従って、この場合には、ＳＴＥＰ４は必要ない。このとき、ＳＴＥＰ５の所定時間は、例えば、ＳＴＥＰ３からの時間経過に設定すればよい。
【符号の説明】
【００４２】
１…ミストサウナ機能付き浴室暖房装置、  ２…暖房機構、  ２２…循環ファン、  ２３…暖房用放熱器、  ２４…主熱媒循環路、  ２４ａ…暖房用熱媒弁、  ２４ｃ…循環ポンプ、  ２５…副熱媒循環路、  ２５ａ…ミスト用流量調節弁、  ３…スプラッシュミスト機構、  ３１…ミストノズル、  ３２…ミスト水路、  ３２ａ…ミスト用サーミスタ（ミスト用温度検出手段）、  ３２ｂ…ミスト弁、  ３３…液々熱交換器、  ３４…給水管、  ３４ａ…フィルタ、  ３４ｂ…逆止弁、  ３４ｃ…給水弁、  ４…打たせ湯機構（給湯機構）、  ４１…打たせ湯ノズル、  ４２…打たせ湯水路（給湯路）、  ４２ａ…フィルタ、  ４２ｂ…打たせ湯水量サーボ、  ４２ｃ…打たせ湯用サーミスタ（給湯用温度検出手段）、  ４２ｄ…出湯弁、  ４３…排水路、  ４３ａ…排水弁、  ４４…バイパス路、  ５…熱源機、  ５１…給湯用熱交換器、  ５２…暖房用熱交換器、  ６…コントローラ、  ＢＲ…浴室。
【図１】
2011052923.tif 000003
【図２】
2011052923.tif 000004
【図３】
2011052923.tif 000005